【手続補正書】
【提出日】平成18年11月20日(2006.11.20)
【手続補正１】
【補正対象書類名】明細書
【補正対象項目名】発明の名称
【補正方法】変更
【補正の内容】
【発明の名称】画像記録装置及び画像記録方法
【手続補正２】
【補正対象書類名】明細書
【補正対象項目名】特許請求の範囲
【補正方法】変更
【補正の内容】
【特許請求の範囲】
【請求項１】  供給された画像情報を圧縮係数に基づいて圧縮符号化する圧縮手段と、圧縮符号化された画像情報を記録媒体に記録する記録手段とを有する画像記録装置であって、
所定の圧縮係数に基づいて圧縮符号化された前記画像情報の記録データ量を測定する測定手段と、
前記測定手段の測定結果に基づいて、所望の記録データ量に応じた圧縮係数を算出する演算手段とを備え、
前記圧縮手段は、前記演算手段により算出された圧縮係数に基づいて前記画像情報を圧縮符号化する
ことを特徴とする画像記録装置。
【請求項２】  請求項１記載の画像記録装置において、
前記所望の記録データ量は、供給された画像情報のデータ量と前記記録媒体の記録容量に応じて予め設定されることを特徴とする画像記録装置。
【請求項３】  請求項１記載の画像記録装置において、
前記測定手段は、少なくとも前記画像情報を第１の圧縮係数に基づいて圧縮符号化したときの第１の記録データ量と、前記第１の圧縮係数より圧縮率の高い第２の圧縮係数に基づいて圧縮符号化したときの第２の記録データ量とを測定し、
前記演算手段は、前記第１の記録データ量および前記第２の記録データ量の測定結果に基づいて、前記所望の記録データ量に応じた圧縮係数を算出することを特徴とする画像記録装置。
【請求項４】  請求項３記載の画像記録装置において、
前記所望の記録データ量に応じた圧縮係数は、前記第１の圧縮係数に基づく前記第１の記録データ量と前記第２の圧縮係数に基づく前記第２の記録データ量とを対数変換した値の間を対数直線で近似することにより求めることを特徴とする画像記録装置。
【請求項５】  請求項３記載の画像記録装置において、
前記算出された圧縮係数に基づいて圧縮符号化された前記画像情報の記録データ量が、
前記所望の記録データ量より大きいことを判定する判定手段をさらに備え、
前記判定手段により、前記圧縮符号化された前記画像情報の記録データ量が、前記所望の記録データ量より大きいと判定された場合に、前記算出された圧縮係数により圧縮された記録データ量を前記第１の記録データ量に置き換え、置き換えられた第１の記録データ量と前記第２の記録データ量に基づいて圧縮係数を再度算出し、再度算出された圧縮係数に基づいて画像情報を圧縮符号化することを特徴とする画像記録装置。
【請求項６】  請求項３記載の画像記録装置において、
前記算出された圧縮係数により圧縮されたデータ量が依然として前記所望の記録データ量より大きいときは、前記算出された圧縮係数に基づく記録データ量を再度前記第１のデータ量に置き換え、
前記演算手段は、置き換えられた前記第１の記録データ量および前記第２の記録データ量の測定結果に基づいて、前記所望の記録データ量に応じた圧縮係数を再度算出することを特徴とする画像記録装置。
【請求項７】  請求項３記載の画像記録装置において、
前記測定手段は、前記第２の圧縮係数に基づいて縮符号化された前記画像情報の記録データ量が、前記所望の記録データ量より大きい場合に、前記第２の圧縮係数を、該第２の圧縮係数より圧縮率の高い第３の圧縮係数に置き換え、
前記演算手段は、前記第１の記録データ量および置き換えられた前記第２の記録データ量の測定結果に基づいて、前記所望の記録データ量に応じた圧縮係数を算出することを特徴とする画像記録装置。
【請求項８】  供給された画像情報を圧縮係数に基づいて圧縮符号化し、圧縮符号化された画像情報を記録媒体に記録する画像記録方法であって、
所定の圧縮係数に基づいて圧縮符号化された前記画像情報の記録データ量を測定し、
前記測定結果に基づいて、所望の記録データ量に応じた圧縮係数を算出し、
前記算出された圧縮係数に基づいて前記画像情報を圧縮符号化する
ことを特徴とする画像記録方法。
【手続補正３】
【補正対象書類名】明細書
【補正対象項目名】０００１
【補正方法】変更
【補正の内容】
【０００１】
【発明の属する技術分野】
本発明は、例えばデジタルスチルカメラに使用して好適な画像記録装置及び画像記録方法に関する。詳しくは、撮影された画像情報を圧縮して任意の記録媒体に記録する画像記録装置及び画像記録方法において、記録媒体に記録可能な枚数を予め決められるようにするものである。
【手続補正４】
【補正対象書類名】明細書
【補正対象項目名】００１０
【補正方法】変更
【補正の内容】
【００１０】
【発明の実施の形態】
すなわち本発明は、供給された画像情報を圧縮係数に基づいて圧縮符号化する圧縮手段と、圧縮符号化された画像情報を記録媒体に記録する記録手段とを有する画像記録装置及び画像記録方法であって、所定の圧縮係数に基づいて圧縮符号化された画像情報の記録データ量を測定する測定手段と、測定手段の測定結果に基づいて、所望の記録データ量に応じた圧縮係数を算出する演算手段とを備え、圧縮手段は、演算手段により算出された圧縮係数に基づいて画像情報を圧縮符号化してなるものである。
【手続補正５】
【補正対象書類名】明細書
【補正対象項目名】００３５
【補正方法】変更
【補正の内容】
【００３５】
【発明の効果】
従って請求項１の発明によれば、所定の圧縮係数に基づいて圧縮符号化された画像情報の記録データ量を測定する測定手段と、測定手段の測定結果に基づいて、所望の記録データ量に応じた圧縮係数を算出する演算手段とを備え、圧縮手段は、演算手段により算出された圧縮係数に基づいて画像情報を圧縮符号化するようにしたことによって、簡単な構成で、１個の記録媒体に記録可能な枚数を予め決めることができ、良好な画像の記録を行うことができるものである。
【手続補正６】
【補正対象書類名】明細書
【補正対象項目名】００３６
【補正方法】変更
【補正の内容】
【００３６】
また、請求項２の発明によれば、所望の記録データ量は、供給された画像情報のデータ量と記録媒体の記録容量に応じて予め設定されることによって、いろいろな種類の記録媒体において良好に画像の記録を行うことができるものである。
【手続補正７】
【補正対象書類名】明細書
【補正対象項目名】００３７
【補正方法】変更
【補正の内容】
【００３７】
また、請求項３の発明によれば、測定手段は、少なくとも画像情報を第１の圧縮係数に基づいて圧縮符号化したときの第１の記録データ量と、第１の圧縮係数より圧縮率の高い第２の圧縮係数に基づいて圧縮符号化したときの第２の記録データ量とを測定し、演算手段は、第１の記録データ量および第２の記録データ量の測定結果に基づいて、所望の記録データ量に応じた圧縮係数を算出することによって、常に最適な圧縮符号化を行うことができるものである。
【手続補正８】
【補正対象書類名】明細書
【補正対象項目名】００３８
【補正方法】変更
【補正の内容】
【００３８】
さらに請求項４の発明によれば、所望の記録データ量に応じた圧縮係数は、第１の圧縮係数に基づく第１の記録データ量と第２の圧縮係数に基づく第２の記録データ量とを対数変換した値の間を対数直線で近似することにより求めることによって、極めて容易に所望の圧縮係数を求めることができるものである。
【手続補正９】
【補正対象書類名】明細書
【補正対象項目名】００３９
【補正方法】変更
【補正の内容】
【００３９】
また、請求項５の発明によれば、算出された圧縮係数に基づいて圧縮符号化された画像情報の記録データ量が、所望の記録データ量より大きいことを判定する判定手段をさらに備え、判定手段により、圧縮符号化された画像情報の記録データ量が、所望の記録データ量より大きいと判定された場合に、算出された圧縮係数により圧縮された記録データ量を第１の記録データ量に置き換え、置き換えられた第１の記録データ量と第２の記録データ量に基づいて圧縮係数を再度算出し、再度算出された圧縮係数に基づいて画像情報を圧縮符号化することによって、広範囲の画像情報について良好に画像の記録を行うことができるものである。
【手続補正１０】
【補正対象書類名】明細書
【補正対象項目名】００４０
【補正方法】変更
【補正の内容】
【００４０】
さらに請求項６の発明によれば、算出された圧縮係数により圧縮されたデータ量が依然として所望の記録データ量より大きいときは、算出された圧縮係数に基づく記録データ量を再度第１のデータ量に置き換え、演算手段は、置き換えられた第１の記録データ量および第２の記録データ量の測定結果に基づいて、所望の記録データ量に応じた圧縮係数を再度算出することによって、より正確に所望の圧縮係数を求めることができるものである。
【手続補正１１】
【補正対象書類名】明細書
【補正対象項目名】００４１
【補正方法】変更
【補正の内容】
【００４１】
また、請求項７の発明によれば、測定手段は、第２の圧縮係数に基づいて縮符号化された画像情報の記録データ量が、所望の記録データ量より大きい場合に、第２の圧縮係数を、この第２の圧縮係数より圧縮率の高い第３の圧縮係数に置き換え、演算手段は、第１の記録データ量および置き換えられた第２の記録データ量の測定結果に基づいて、所望の記録データ量に応じた圧縮係数を算出することによって、極めて容易に所望の圧縮係数を求めることができるものである。
【手続補正１２】
【補正対象書類名】明細書
【補正対象項目名】００４２
【補正方法】変更
【補正の内容】
【００４２】
さらに、請求項８の発明によれば、供給された画像情報を圧縮係数に基づいて圧縮符号化し、圧縮符号化された画像情報を記録媒体に記録する画像記録方法であって、所定の圧縮係数に基づいて圧縮符号化された画像情報の記録データ量を測定し、測定結果に基づいて、所望の記録データ量に応じた圧縮係数を算出し、算出された圧縮係数に基づいて画像情報を圧縮符号化するようにしたことによって、簡単な構成で、１個の記録媒体に記録可能な枚数を予め決めることができ、良好な画像の記録を行うことができるものである。